(57)【要約】【課題】商品の購入情報を用いて、個別に応用されたレシピや専門的な知識に基づくレシピの提供を可能にする。【解決手段】発行するレシートに、購入者であるユーザ用に公開されるＷｅｂサイトアドレスを印刷するレシート発行端末と、レシート発行端末から通知される情報に基づきユーザに提供するレシピ情報を検索するレシピ検索手段と、検索したレシピ情報を掲載するＷｅｂページを前記Ｗｅｂサイトアドレスにおいて公開するＷｅｂサーバ手段と、予めユーザに対し登録されているあて先情報であってアドバイザが使用するアドバイザ端末のアドレスを示すあて先情報に、該ユーザの購入商品の情報または提供するレシピの情報を通知して、アドバイスを要求するアドバイス要求手段とを有し、Ｗｅｂサーバ手段は、入力されたアドバイスをユーザに対し公開されるＷｅｂページに反映する。【選択図】図１
2009211258.tif 000002
【特許請求の範囲】
【請求項１】
購入された商品の情報を用いてレシピを提供するレシピ提供システムであって、
購入された商品に関するレシートを発行するレシート発行端末と、前記レジ端末とネットワークを介して接続されるセンターサーバとを備え、
前記レシート発行端末は、商品が購入される際に、購入者であるユーザを識別するためのユーザ識別情報と購入された商品の情報とをネットワークを介して接続されるセンターサーバに送信するとともに、発行するレシートに前記センターサーバにおいて該ユーザ用に公開されるＷｅｂサイトアドレスを印刷し、
前記センターサーバは、
ユーザ別に、少なくとも該ユーザが購入した商品の情報を保持するユーザ情報記憶手段と、
レシピ情報を保持するレシピ情報記憶手段と、
前記レシート発行端末からユーザ識別情報と購入された商品の情報とを受信すると、受信した情報および前記ユーザ情報記憶手段に記憶されている情報に基づいて、前記レシピ情報記憶手段から、前記ユーザ識別情報で示されるユーザに提供するレシピ情報を検索するレシピ検索手段と、
前記レシピ検索手段が検索したレシピ情報を掲載するＷｅｂページを、前記ユーザに対し前記レシート発行端末がレシートに印刷する前記Ｗｅｂサイトアドレスにおいて公開するＷｅｂサーバ手段と、
予めユーザに対し登録されているあて先情報であってアドバイザが使用するアドバイザ端末のアドレスを示すあて先情報に、該ユーザが購入した商品の情報または提供するレシピの情報を通知して、提供するレシピに対するアドバイスを要求するアドバイス要求手段とを有し、
前記Ｗｅｂサーバ手段は、前記アドバイザからのアドバイスの入力を受け付けるためのＷｅｂページを該アドバイザに対し公開し、入力されたアドバイスを前記ユーザに対し公開されるＷｅｂページに反映する
ことを特徴とするレシピ提供システム。
【請求項２】
レシート発行端末は、発行するレシートに、前記センターサーバにより該ユーザ用に公開されるＷｅｂサイトアドレスと、予めユーザに対し登録されているあて先情報であって所定のアドバイザ宛ての電話番号とを印刷する
請求項１に記載のレシピ提供システム。
【請求項３】
アドバイス要求手段の通知先となるアドバイザ端末は、医師または栄養士が使用する情報処理端末である
請求項１または請求項２に記載のレシピ提供システム。
【請求項４】
レシート発行端末が発行するレシートに印刷される電話番号は、調理に詳しいオペレータが配置されたオペレーションセンタに設置されているテレビ電話が可能なアドバイス端末のあて先情報となる電話番号である
請求項２または請求項３に記載のレシピ提供システム。
【請求項５】
レシピ検索手段は、レシート発行端末からの、購入者であるユーザを識別するためのユーザ識別情報と購入された商品の情報の受信に対して、該ユーザ用に公開されるＷｅｂサイトアドレスに検索したレシピ情報の指定を組み合わせたＵＲＬを作成し、作成したＵＲＬの情報を前記レシート発行端末に送信し、
前記レシート発行端末は、購入者であるユーザを識別するためのユーザ識別情報と購入された商品の情報とをセンターサーバに送信した際に前記レシピ検索手段から返信されるＵＲＬの情報を、発行するレシートに印刷する
請求項１から請求項４のうちのいずれか１項に記載のレシピ提供システム。
【請求項６】
アドバイス要求手段は、予めユーザに対し登録されている電子メールアドレスに、アドバイスの入力を要求する旨と、提供対象とするユーザを示す情報と、該ユーザが購入した商品の情報または提供するレシピの情報とを記載した電子メールを送信することによって、提供するレシピに対するアドバイスを要求する
請求項１から請求項５のうちのいずれか１項に記載のレシピ提供システム。
【請求項７】
購入された商品の情報を用いてレシピを提供するためのレシピ提供方法であって、
レシート発行端末が、商品が購入された際に、購入者であるユーザを識別するためのユーザ識別情報と購入された商品の情報とをネットワークを介して接続されるセンターサーバに送信するとともに、発行するレシートに前記センターサーバにおいて該ユーザ用に公開されるＷｅｂサイトアドレスを印刷することによりレシピを提供するレシピ提供方法において、
前記センターサーバが、
ユーザ別に、少なくとも該ユーザが購入した商品の情報を保持するとともに、レシピ情報を保持し、
前記レシート発行端末からユーザ識別情報と購入された商品の情報とを受信すると、受信した情報および前記ユーザ情報記憶手段に記憶されている情報に基づいて、前記ユーザ識別情報で示されるユーザに提供するレシピ情報を検索し、
検索したレシピ情報を掲載したＷｅｂページを、前記ユーザに対し前記レシート発行端末がレシートに印刷する前記Ｗｅｂサイトアドレスにおいて公開し、
予めユーザに対し登録されているあて先情報であってアドバイザが使用するアドバイザ端末のアドレスを示すあて先情報に、該ユーザが購入した商品の情報または提供するレシピの情報を通知して、提供するレシピに対するアドバイスを要求し、
前記アドバイザからのアドバイスの入力を受け付けるためのＷｅｂページを該アドバイザに対し公開し、入力されたアドバイスを前記ユーザに対し公開されるＷｅｂページに反映する
ことを特徴とするレシピ提供方法。
【請求項８】
購入された商品の情報を用いてレシピを提供するためのレシピ提供用プログラムであって、
商品が購入された際にレシートを発行するレシート発行端末とネットワークを介して接続されるセンターサーバに適用されるレシピ提供用プログラムにおいて、
コンピュータに、
ユーザ別に、少なくとも該ユーザが購入した商品の情報を保持するとともに、レシピ情報を保持する記憶装置を備えたコンピュータに、
前記レシート発行端末からユーザ識別情報と購入された商品の情報とを受信すると、受信した情報および前記記憶装置に保持されているユーザ別の情報に基づいて、前記ユーザ識別情報で示されるユーザに提供するレシピ情報を検索する処理、
検索したレシピ情報を掲載したＷｅｂページを、前記ユーザに対し前記レシート発行端末がレシートに印刷する前記Ｗｅｂサイトアドレスにおいて公開するための処理、
予めユーザに対し登録されているあて先情報であってアドバイザが使用するアドバイザ端末のアドレスを示すあて先情報に、該ユーザが購入した商品の情報または提供するレシピの情報を通知して、提供するレシピに対するアドバイスを要求する処理、
前記アドバイザからのアドバイスの入力を受け付けるためのＷｅｂページを該アドバイザに対し公開し、入力されたアドバイスを前記ユーザに対し公開されるＷｅｂページに反映する処理
を実行させるためのレシピ提供用プログラム。
【発明の詳細な説明】
【技術分野】
【０００１】
本発明は、購入された商品の情報を用いてレシピを提供するレシピ提供システム、レシピ提供方法、およびレシピ提供用プログラムに関する。
【背景技術】
【０００２】
食材を購入する際、あらかじめ献立を決めてから購入したとしても、必要とする分量の食材が売られているとは限らず、購入した食材が余ってしまうことが多く見受けられる。また、献立を決めるときに参考にするレシピについても、本や雑誌などに掲載されているものに限定されてしまうことが多い。
【０００３】
利用者の状況に合わせたレシピを提供するための技術に関し、例えば、特許文献１には、購買者に購買した物に関する情報を提供する購買者支援システムにおいてレシピを提供する例が記載されている。
【０００４】
また、特許文献２には、ユーザの家族に合った献立や登録食材を材料に含む献立を索出するレシピ情報提供方法が記載されている。
【０００５】
【特許文献１】特開２００２−１８３４２５号公報
【特許文献２】特開２００６−３３１１５９号公報
【発明の開示】
【発明が解決しようとする課題】
【０００６】
しかし、上記で示した方法では、予め登録されているレシピ情報から、購入者が購入した食材に応じたレシピを検索して提供している。従って、予め登録されているレシピしか提供できないという問題がある。なお、特許文献２では、ユーザの家族構成やアレルギー等食べられない食材の情報等のユーザ情報に基づいて個々のユーザに適した食材リストを提供する旨や、購入履歴情報に基づいてバランスよく食材を組み込んだレシピ情報を提供する旨が記載されているが、必ずしも個々の事案に適合するレシピが登録されているとは限らない。例えば、アレルギー等により食べられない食材を含んだレシピであってもその食材の変更が可能なレシピは多く存在するはずであるが、予め登録されているレシピ情報からの策出では、このような応用を効かすことができない。また、一般的なレシピ本には載っていない療養食等、専門的な知識を要するレシピを提供してほしいといった要望もある。
【０００７】
そこで、本発明は、商品の購入情報を用いて、予め登録されているレシピだけでなく、個別に応用されたレシピや専門的な知識に基づくレシピの提供が可能なレシピ提供システム、レシピ提供方法、およびレシピ提供用プログラムを提供することを目的とする。
【課題を解決するための手段】
【０００８】
本発明によるレシピ提供システムは、購入された商品の情報を用いてレシピを提供するレシピ提供システムであって、
購入された商品に関するレシートを発行するレシート発行端末と、前記レジ端末とネットワークを介して接続されるセンターサーバとを備え、前記レシート発行端末は、商品が購入される際に、購入者であるユーザを識別するためのユーザ識別情報と購入された商品の情報とをネットワークを介して接続されるセンターサーバに送信するとともに、発行するレシートに前記センターサーバにおいて該ユーザ用に公開されるＷｅｂサイトアドレスを印刷し、前記センターサーバは、ユーザ別に、少なくとも該ユーザが購入した商品の情報を保持するユーザ情報記憶手段と、レシピ情報を保持するレシピ情報記憶手段と、前記レシート発行端末からユーザ識別情報と購入された商品の情報とを受信すると、受信した情報および前記ユーザ情報記憶手段に記憶されている情報に基づいて、前記レシピ情報記憶手段から、前記ユーザ識別情報で示されるユーザに提供するレシピ情報を検索するレシピ検索手段と、前記レシピ検索手段が検索したレシピ情報を掲載するＷｅｂページを、前記ユーザに対し前記レシート発行端末がレシートに印刷する前記Ｗｅｂサイトアドレスにおいて公開するＷｅｂサーバ手段と、予めユーザに対し登録されているあて先情報であってアドバイザが使用するアドバイザ端末のアドレスを示すあて先情報に、該ユーザが購入した商品の情報または提供するレシピの情報を通知して、提供するレシピに対するアドバイスを要求するアドバイス要求手段とを有し、前記Ｗｅｂサーバ手段は、前記アドバイザからのアドバイスの入力を受け付けるためのＷｅｂページを該アドバイザに対し公開し、入力されたアドバイスを前記ユーザに対し公開されるＷｅｂページに反映することを特徴とする。
【０００９】
また、本発明によるレシピ提供方法は、購入された商品の情報を用いてレシピを提供するためのレシピ提供方法であって、レシート発行端末が、商品が購入された際に、購入者であるユーザを識別するためのユーザ識別情報と購入された商品の情報とをネットワークを介して接続されるセンターサーバに送信するとともに、発行するレシートに前記センターサーバにおいて該ユーザ用に公開されるＷｅｂサイトアドレスを印刷することによりレシピを提供するレシピ提供方法において、前記センターサーバが、ユーザ別に、少なくとも該ユーザが購入した商品の情報を保持するとともに、レシピ情報を保持し、前記レシート発行端末からユーザ識別情報と購入された商品の情報とを受信すると、受信した情報および前記ユーザ情報記憶手段に記憶されている情報に基づいて、前記ユーザ識別情報で示されるユーザに提供するレシピ情報を検索し、検索したレシピ情報を掲載したＷｅｂページを、前記ユーザに対し前記レシート発行端末がレシートに印刷する前記Ｗｅｂサイトアドレスにおいて公開し、予めユーザに対し登録されているあて先情報であってアドバイザが使用するアドバイザ端末のアドレスを示すあて先情報に、該ユーザが購入した商品の情報または提供するレシピの情報を通知して、提供するレシピに対するアドバイスを要求し、前記アドバイザからのアドバイスの入力を受け付けるためのＷｅｂページを該アドバイザに対し公開し、入力されたアドバイスを前記ユーザに対し公開されるＷｅｂページに反映することを特徴とする。
【００１０】
また、本発明によるレシピ提供用プログラムは、購入された商品の情報を用いてレシピを提供するためのレシピ提供用プログラムであって、商品が購入された際にレシートを発行するレシート発行端末とネットワークを介して接続されるセンターサーバに適用されるレシピ提供用プログラムにおいて、コンピュータに、ユーザ別に、少なくとも該ユーザが購入した商品の情報を保持するとともに、レシピ情報を保持する記憶装置を備えたコンピュータに、前記レシート発行端末からユーザ識別情報と購入された商品の情報とを受信すると、受信した情報および前記記憶装置に保持されているユーザ別の情報に基づいて、前記ユーザ識別情報で示されるユーザに提供するレシピ情報を検索する処理、検索したレシピ情報を掲載したＷｅｂページを、前記ユーザに対し前記レシート発行端末がレシートに印刷する前記Ｗｅｂサイトアドレスにおいて公開するための処理、予めユーザに対し登録されているあて先情報であってアドバイザが使用するアドバイザ端末のアドレスを示すあて先情報に、該ユーザが購入した商品の情報または提供するレシピの情報を通知して、提供するレシピに対するアドバイスを要求する処理、前記アドバイザからのアドバイスの入力を受け付けるためのＷｅｂページを該アドバイザに対し公開し、入力されたアドバイスを前記ユーザに対し公開されるＷｅｂページに反映する処理を実行させることを特徴とする。
【発明の効果】
【００１１】
本発明によれば、商品の購入情報を用いて、予め登録されているレシピの中でユーザの状況にあったレシピだけでなく、個別に応用されたレシピや専門的な知識に基づくレシピを提供することができる。
【発明を実施するための最良の形態】
【００１２】
以下、本発明の実施形態を図面を参照して説明する。図１は、本発明によるレシピ提供システムの構成例を示すブロック図である。図１に示すように、本発明によるレシピ提供システムは、センターサーバ１と、レシート発行端末２と、アドバイザ端末３とを備える。また、センターサーバ１は、ユーザ情報記憶手段１１と、レシピ情報記憶手段１２と、レシピ検索手段１３と、Ｗｅｂサーバ手段１４と、アドバイス要求手段１５とを含む。
【００１３】
レシート発行端末２は、購入された商品に関するレシートを発行する情報処理端末である。なお、本発明によるレシート発行端末２は、商品が購入される際に、購入者であるユーザを識別するためのユーザ識別情報と購入された商品の情報とをネットワークを介して接続されるセンターサーバに送信するとともに、発行するレシートに前記センターサーバにおいて該ユーザ用に公開されるＷｅｂサイトアドレスを印刷する。
【００１４】
ユーザ情報記憶手段１１は、ユーザ別に、少なくとも該ユーザが購入した商品の情報を保持する。また、レシピ情報記憶手段１２は、レシピ情報を保持する。
【００１５】
レシピ検索手段１３は、レシート発行端末２からユーザ識別情報と購入された商品の情報とを受信すると、受信した情報およびユーザ情報記憶手段１１に記憶されている情報に基づいて、レシピ情報記憶手段１２から、受信したユーザ識別情報で示されるユーザに提供するレシピ情報を検索する。
【００１６】
アドバイス要求手段１５は、予めユーザに対し登録されているあて先情報であってアドバイザが使用するアドバイザ端末のアドレスを示すあて先情報に、該ユーザが購入した商品の情報または提供するレシピの情報を通知して、提供するレシピに対するアドバイスを要求する。ここで、アドバイス要求手段１５の通知先となるアドバイザ端末は、医師または栄養士が使用する情報処理端末であってもよい。アドバイス要求手段１５は、例えば、予めユーザに対し登録されている電子メールアドレスに、アドバイスの入力を要求する旨と、提供対象とするユーザを示す情報と、該ユーザが購入した商品の情報または提供するレシピの情報とを記載した電子メールを送信することによって、提供するレシピに対するアドバイスを要求する。
【００１７】
Ｗｅｂサーバ手段１４は、レシピ検索手段１３が検索したレシピ情報を掲載するＷｅｂページを、提供対象とされるユーザ用としてレシート発行端末２がレシートに印刷するＷｅｂサイトアドレスにおいて該ユーザに対し公開する。また、Ｗｅｂサーバ手段１４は、アドバイス要求手段１５が要求したアドバイザからのアドバイスの入力を受け付けるためのＷｅｂページを該アドバイザに対し公開し、入力されたアドバイスを対象とされるユーザ用に公開されるＷｅｂページに反映する。
【００１８】
また、レシピ検索手段１３は、レシート発行端末からの、購入者であるユーザを識別するためのユーザ識別情報と購入された商品の情報の受信に対して、該ユーザ用に公開されるＷｅｂサイトアドレスに検索したレシピ情報の指定を組み合わせたＵＲＬを作成し、作成したＵＲＬの情報をレシート発行端末２に送信するようにしてもよい。そのような場合には、レシート発行端末２は、購入者であるユーザを識別するためのユーザ識別情報と購入された商品の情報とをセンターサーバ１に送信した際にレシピ検索手段１３から返信されるＵＲＬの情報を、発行するレシートに印刷してもよい。
【００１９】
このような構成により、予め登録された第３者を介在させることができ、予め登録されているレシピの中でユーザの状況にあったレシピだけでなく、個別に応用されたレシピや専門的な知識に基づくレシピを提供することができる。
【００２０】
また、本発明によるレシピ提供システムは、図２に示すように、提供対象となるユーザが使用するユーザ端末４とアドバイザ端末３との間で、テレビ電話等の動画通信リンクを形成することが可能な場合には、レシート発行端末２は、発行するレシートに、前記センターサーバにより該ユーザ用に公開されるＷｅｂサイトアドレスと、予めユーザに対し登録されているあて先情報であって所定のアドバイザ宛ての電話番号とを印刷してもよい。このとき、レシート発行端末２が発行するレシートに印刷される電話番号は、調理に詳しいオペレータが配置されたオペレーションセンタに設置されているテレビ電話が可能なアドバイス端末のあて先情報となる電話番号であってもよい。
【００２１】
このような構成によって、ユーザは、提供されるレシピを見ただけではわからない場合でも、直接アドバイザと話しつつ動画によるガイドを受けることが可能となる。
【００２２】
以下、より具体的な実施形態について説明する。図３は、本実施形態のレシピ提供システムの構成例を示すブロック図である。図３に示すように、本実施形態のレシピ提供システムは、レジ端末１０と、センターシステム３０と、ユーザ端末４０と、アドバイザ端末５０とを備える。また、センターシステム３０は、制御−検索エンジン３０１と、個人マスタ情報データベース３０２（以下、個人マスタ情報ＤＢ３０２という。）と、レシピサーバ３０３と、Ｗｅｂサーバ３０４とを含む。
【００２３】
また、レジ端末１０とセンターシステム３０（少なくとも制御−詮索エンジン３０１）とは、ネットワーク２０−１を介して接続されている。また、ユーザ端末４０とセンターシステム３０（少なくともＷｅｂサーバ３０４）とアドバイザ端末５０とは、それぞれネットワーク２０−２を介して接続されている。
【００２４】
レジ端末１０は、商品情報の入力を行い、購入した商品に応じたレシートを発行する。本実施形態では、レシートを発行する際に、商品情報の入力だけでなく、会員番号等購入者を識別するための情報の入力を行い、それらの情報をセンターシステム３０にネットワーク２０−１を介して送信することにより得られるＵＲＬ（より具体的には、購入した商品に応じて作成されＷｅｂサーバ３０４で提供される該会員用のＷｅｂページのアドレスを示すＵＲＬ）の情報をレシートに印字する。
【００２５】
商品情報は、例えば、商品名、価格、量、産地などその商品に関する情報である。会員番号等購入者を識別するための情報は、センターシステム３０において予め登録されている会員情報に関連づけられている情報である。なお、会員情報には、会員番号の他に、氏名、生年月日、家族構成などが含まれる。
【００２６】
制御−検索エンジン３０１は、レジ端末１０から送信される情報を終端し、会員に提供するレシピの検索、会員用Ｗｅｂサイト・アドレス（ＵＲＬ）の作成、各種情報の登録・更新といった他の処理部と協働して本システムの機能を実現させるための各種制御（他の処理部への指示を含む。）を行う。なお、制御−検索エンジン３０１は、図１および図２におけるレシピ検索手段１３およびアドバイス要求手段１５の機能を実現する処理部である。
【００２７】
制御−検索エンジン３０１は、例えば、レジ端末１０から送信される商品情報および会員情報を元に、購入者である会員に提供するレシピ情報を検索し、Ｗｅｂサーバ３０４に登録する。そして、該レシピ情報の提供用に割り当てたＷｅｂサーバ３０４上のＷｅｂサイトアドレス（ＵＲＬ）を、受信した商品情報および会員情報の送信元であるレジ端末１０に返信する。
【００２８】
例えば、後述するレシピサーバ３０３から、商品情報で示される商品を材料に含むレシピの情報を検索して登録してもよい。なお、その際に、後述する個人マスタ情報ＤＢ３０２に蓄積されている家族構成、購入履歴、レシピ提供履歴などを利用して、過去に提供したレシピとの重複を避けたり、残っていると思われる商品をともに材料に含むレシピを選択するようにしてもよい。
【００２９】
また、例えば、会員用に予めＵＲＬを割り当てておき、そのＵＲＬを返信してもよい。このような場合には、会員がそのＵＲＬを用いてＷｅｂサーバ３０４にアクセスした際に、そのＵＲＬから特定される会員情報を用いてレシピを検索してもよい。その際、例えば、該ＵＲＬにアクセスされるまでの間に受け付けた医師や栄養士といった専門的な知識を有しているアドバイザからの該会員向けのアドバイスを合わせて提示させるようにしてもよい。
【００３０】
また、例えば、一旦レシピサーバ３０４から検索されたレシピの情報を登録してＵＲＬを返信した上で、そのレシピ情報を、予め登録されている調理師や医師、栄養士等のアドバイザが使用しているアドバイザ端末５０に送信してアドバイスを依頼してもよい。なお、レシピに対するコメントだけでなく、会員やその家族の健康状態に対するコメント、レシピの修正といったアドバイスを得るようにしてもよい。また、商品購入とは直接関わらない情報を別途得るようにし、その情報をＵＲＬとともに返信してレシートに印字させるようにしてもよい。
【００３１】
個人マスタ情報ＤＢ３０２は、ユーザ（会員）の氏名、住所、家族構成、商品の購入履歴、紹介したレシピの履歴といった本システムの利用に係るユーザに関する情報を記憶する。なお、個人マスタ情報ＤＢ３０２は、本システムの利用に伴って、店舗等で利用できるクーポンを提供するような場合などには、そのクーポンの発行および使用の状況を示す情報を併せて記憶してもよい。以下、個人マスタ情報ＤＢ３０２に記憶される会員別の情報を会員情報という。なお、個人マスタ情報ＤＢ３０２は、図１および図２におけるユーザ情報記憶手段１１を実現するデータベースシステムである。
【００３２】
レシピサーバ３０３は、会員に提供するレシピを蓄積するデータベースを備える。レシピサーバ３０３は、食材をキーにレシピを検索できるよう該データベースを構成する。また、常に新しいレシピを蓄積できるようデータの書き込みも可能にする。なお、本実施形態では、レシピサーバ３０３に蓄積させるレシピの情報として、テキスト形式のものと、動画形式のものとを用意する。なお、レシピサーバ３０３は、図１および図２におけるレシピ情報記憶手段１２を実現するデータベースシステムである。
【００３３】
Ｗｅｂサーバ３０４は、制御−検索エンジン３０１が割り当てたＵＲＬを用いて、対象とする会員用に検索されたレシピを提供する。Ｗｅｂサーバ３０４は、例えば、制御−検索エンジン３０１が割り当てたＵＲＬをもつ、検索されたレシピの情報を掲載したＷｅｂページを通信ネットワーク２０−２上で公開し、会員が操作するユーザ端末４０からの該ＵＲＬを指定したアクセスに応じて、該ＵＲＬが示すＷｅｂページの情報を送信することで、レシピを提供する。なお、Ｗｅｂサーバ３０４は、レシピの情報だけでなく、該会員向けのアドバイス等も合わせて提供する。また、Ｗｅｂサーバ３０４は、会員用のＷｅｂページで提供されるレシピに対し、アドバイザがコメントを入力できるアドバイザ用のＷｅｂページの提供も行う。すなわち、アドバイザからのコメントの受け付け機能を有する。なお、Ｗｅｂサーバ３０４は、図１および図２におけるＷｅｂサーバ手段１４の機能を実現する処理部である。
【００３４】
アドバイスの依頼に関しては、Ｗｅｂサーバ３０４が会員用Ｗｅｂページにアクセスされた際に、リアルタイムに行うことも可能である。そのような場合には、アクセス通知を制御−検索エンジン３０１に行い、制御−検索エンジン３０１に実処理を行わせればよい。
【００３５】
また、Ｗｅｂサーバ３０４は、この他にも、Ｗｅｂページとして提供するｈｔｍｌファイルの作成や、会員別Ｗｅｂページの管理や、動画管理、アクセス管理、店舗用ページの管理を行う。
【００３６】
アドバイザ端末５０は、予め登録されている調理師や医師、栄養士といった専門的な知識を有しているアドバイザが使用する端末である。なお、本実施形態では、調理師や料理に詳しい人が調理法について動画によるガイドを行うためのアドバイザ端末５０−１と、医師や栄養士といった専門的な知識を有する人がアドバイスを行うためのアドバイザ端末５０−２とを備える場合を例に説明する。本例では、アドバイザ端末５０−１とユーザ端末４０との間に動画通信用のリンクを形成可能とする。動画通信用リンクは、例えば、テレビ電話システムを利用して形成すればよい。また、例えば、携帯電話システムを利用して形成してもよい。また、例えば、インターネット等の通信ネットワーク上のデータ通信システムを利用して形成してもよい。
【００３７】
なお、本実施形態において、レジ端末１０は、ＰＯＳ（Point of sale ）レジスタによって実現される。また、制御−検索エンジン３０１，個人マスタ情報ＤＢ３０１，レシピサーバ３０３，Ｗｅｂサーバ３０４は、例えば、ワークステーション・サーバなど、記憶装置を有する情報処理装置によって実現される。なお、それぞれ異なる情報処理装置によって実現した上でそれらを通信可能に接続することでセンターシステム３０を構成してもよいし、１つの情報処理装置で複数の処理部（例えば、制御−検索エンジン３０１とＷｅｂサーバ３０４）の機能を実現してセンターシステム３０を構成することも可能である。また、ユーザ端末４０は、例えば、携帯電話機やパーソナルコンピュータによって実現される。また、アドバイザ端末５０は、例えば、携帯電話機やパーソナルコンピュータによって実現される。
【００３８】
次に、本実施形態の動作について説明する。図４〜図６は、本実施形態のレシピ提供システム全体の動作の一例を示すシーケンス図である。なお、図４〜図５では、購入される商品に応じたＷｅｂページを作成するまでの動作例を示している。また、図６では、発行したレシートを利用してレシピを提供するまでの動作例を示している。
【００３９】
ここで、個人マスタ情報ＤＢ３０２には、本システムの会員となった際に発行されるカードに記憶した会員番号と対応づけて、該会員に関する情報（会員情報）が登録されているものとする。また、レシピサーバ３０３には、使用する食材をインデックス情報として含む、ある料理の材料や調理法を示す情報であるレシピ情報が蓄積されているものとする。なお、レシピ情報には、テキスト形式で調理法を示す情報と、動画形式で調理法を示す情報とを含む。
【００４０】
例えば、Ｗｅｂサーバ３０４に、会員となるユーザの個人情報を入力するための個人情報入力ページを用意しておき、その個人情報入力ページで必要な情報を入力させることで、会員情報を得るようにしてもよい。入力された会員情報は、例えば、制御−検索エンジン３０１を介して、個人マスタ情報ＤＢ３０２に登録してもよい。図７は、個人情報入力ページの画面表示例を示す説明図である。図７に示すように、例えば、会員番号とともに氏名やパスワード、住所、電話番号、レシピ転送先（かかりつけの医師など）といった情報を入力させればよい。
【００４１】
まず、レジ端末１０は、会員が店舗で商品を購入する際の該店舗の店員による操作に応じて、該会員が差し出した会員カードをスキャニング（走査，情報の読み取り）することにより、該会員を識別するための情報（ここでは、会員番号）を取得する（ステップＡ３）。また、レジ端末１０は、店員による操作に応じて、商品に付されたバーコード等をスキャニングすることにより、該商品に関する情報を取得する（ステップＡ４）。レジ端末１０は、例えば、バーコードから商品を識別するための商品ＩＤを読み取り、読み取った商品ＩＤを元に、該レジ端末１０と接続されている各商品に関する情報を蓄積している商品情報データベースにアクセスし、該商品の金額や、該商品の名前、分類番号等を読み出せばよい。
【００４２】
レジ端末１０では、ステップＡ４の処理を、購入される商品全てに対して実行する。なお、同じ商品が複数購入される場合には、定員の個数キー押下により購入数に反映させることで同じ商品の２つ目以降の商品については処理が省略される場合もある。
【００４３】
そして、レジ端末１０は、購入する商品全てについてステップＡ４の処理が完了した後の店員による精算キー押下等の操作に応じて、該店舗の識別情報や日付の情報とともに、ステップＡ３およびステップＡ４で得られた情報（会員番号および購入される商品に関する情報。以下、購買情報という。）を、ネットワーク２０−１を介してセンターシステム３０に送信する（ステップＡ５）。
【００４４】
センターシステム３０では、制御−検索エンジン３０１が、レジ端末１０から送信される購買情報を受信する。
【００４５】
制御−検索エンジン３０１は、レジ端末１０から購買情報を受信すると、購買情報に含まれる会員番号を用いて個人マスタ情報ＤＢ３０２を検索し、購入者である会員の会員情報を取得する（ステップＡ６）。ここでは、例えば、ユーザの家族構成、商品の購入履歴、レシピの提供履歴などを取得する。
【００４６】
会員情報を取得すると、制御−検索エンジン３０１は、取得した会員情報と購買情報に含まれる購入商品に関する情報とを用いて、レシピサーバ３０３から、今回の購入を含めて会員が現時点で所持しているだろう食材を用いた会員に合わせたレシピ情報を検索する（ステップＡ７）。制御−検索エンジン３０１は、例えば、家族構成、購入履歴、レシピ提供履歴などを利用して、過去に提供したレシピが短期間の間に何度も提供されないように調整を行ったり、家族構成に合わせて材料の分量の調整を行った上で、提供するレシピ情報を決定する。
【００４７】
また、制御−検索エンジン３０１は、個人マスタ情報ＤＢ３０２に対し、会員情報の更新を行い、会員の購入履歴やレシピ提供状況などの情報を常に最新の状態にして保持させる。なお、個人マスタ情報ＤＢ３０２では、個人情報を扱うため、データの暗号化などのセキュリティ強化を実施することが好ましい。
【００４８】
次に、制御−検索エンジン３０１は、Ｗｅｂサーバ３０４に、会員に提供するとして決定したレシピ情報を、該レシピ情報を提供するためのＷｅｂページのＵＲＬと対応づけて登録する（図５のステップＡ８）。
【００４９】
また、制御−検索エンジン３０１は、決定したレシピ情報を該会員に提供するためのＷｅｂページのＵＲＬを示す情報を、購買情報の送信元であるレジ端末１０に送信する（ステップＡ１０）。制御−検索エンジン３０１は、ＵＲＬを示す情報として、例えば、ＵＲＬをテキスト形式で示す情報とともに、該ＵＲＬを二次元コードに変換した情報を送信するようにしてもよい。
【００５０】
なお、例えば、購入者が会員カードを所持していない場合には、会員番号を含まない購買情報をセンターシステム３０に送信するようにしてもよい。そのような場合には、制御−検索エンジン３０１は、今回の購入食材を用いた一般的なレシピを検索してもよい。なお、該購入者用のＷｅｂページはないため、予め設定されているサイトアドレス（Ｗｅｂサーバ３０４が提供する、非会員向けのレシピ提供用Ｗｅｂページのアドレス等）に該レシピを識別するための情報を組み合わせたＵＲＬを示す情報をレジ端末１０に送信してもよい。
【００５１】
Ｗｅｂサーバ３０４では、制御−検索エンジン３０１から指定されるレシピ情報とＵＲＬとを元に、該ＵＲＬにて公開するＷｅｂページに相当するＨＴＭＬファイルを作成し、該Ｗｅｂページをネットワーク２０−２上で該会員に向けて公開する（ステップＡ９）。
【００５２】
ＨＴＭＬファイルを生成する際に、レシピ情報の他に、店舗のお買い得情報などの広告などの情報を含むようにしてもよい。また、会員用に提供する場合には、レシピの動画ファイルを組み込み、会員が動画でレシピを参照できるようにしてもよい。
【００５３】
レジ端末１０では、センターシステム３０から通知されるＵＲＬの情報を待って、購入した商品に関する情報とともに、通知されたＵＲＬをレシートに印刷して発行する（ステップＡ１０）。
【００５４】
なお、制御−検索エンジン３０１から通知されるＵＲＬを待たずに、一購買情報に対し、該購買情報を識別するための購買番号を割り当て、予め設定されているサイトアドレス（Ｗｅｂサーバ３０４の本システム用Ｗｅｂサイトのトップページのアドレス等）に会員番号と購買番号の指定を組み合わせたＵＲＬをレジ端末１０で生成し、レシートに印刷するようにしてもよい。
【００５５】
図８は、レジ端末１０で発行されるレシートの一例を示す説明図である。図８に示すように、レジ端末１０は、店舗名や購入日、商品名や単価、合計金額といった一般的なレシート記載事項の他に、購入者に少なくとも購入商品に対応したレシピを提供するためのＵＲＬを、テキスト形式と二次元コード形式で印刷したものを発行してもよい。また、図８に示す例では、ＵＲＬの他にも、本システム用に設置されているテレビ電話対応のオペレーションセンタの電話番号（図３におけるアドバイザ端末５０−１と通話可能な電話番号）を印刷している。
【００５６】
図５のステップＡ１０の処理により、レシートを入手したユーザは、ユーザ端末４０を操作して、レシートに記載されているＵＲＬにアクセスする。ユーザ端末４０は、ユーザ操作により入力されるＵＲＬの情報に従い、該ＵＲＬが指定するＷｅｂサーバ３０４にアクセスする（図６のステップＢ１）。例えば、ユーザ端末４０が携帯電話機である場合には、レシートに印刷されている二次元コードを読み取ることで、Ｗｅｂサーバ３０４へのアクセスを簡略化することが可能である。
【００５７】
Ｗｅｂサーバ３０４では、会員用Ｗｅｂページに対するアクセスについては、会員番号とパスワードなどを要求し、本人以外が指定されたＷｅｂページへアクセスできないようにする。アクセスを許可すると、Ｗｅｂサーバ３０４は、ＵＲＬで指定されたＷｅｂページの情報として登録されているＨＴＭＬファイルを、アクセス元であるユーザ端末４０に送信することで、該会員が購入した商品に対応したレシピの情報を提示したＷｅｂページを表示させる（ステップＢ２）。
【００５８】
また、アクセスを許可したＷｅｂサーバ３０４は、ユーザ端末４０にＨＴＭＬファイルを送信すると同時に、予め登録されているかかりつけ医師や栄養士が使用しているアドバイザ端末５０−２に該Ｗｅｂページで提示するレシピを送信する（ステップＢ３）。例えば、該会員に対し予め登録されているかかりつけ医師や栄養士のメールアドレスを登録しておき、そのメールアドレス宛てに、アドバイスを依頼する旨の情報とともに購入された商品の情報や提供されるレシピの情報を記載した電子メールを送信することで、所望のアドバイザ端末５０にレシピを送信してもよい。電子メールには、さらにアドバイスを入力するときにアクセスするＷｅｂサーバ３０４が提供するレシピ登録・修正ページへのサイトアドレスを記載してもよい。なお、Ｗｅｂサーバ３０４では、会員のアクセス履歴と、医師や栄養士のレシピ登録・修正履歴を比較して、会員が当該ＵＲＬにアクセスするたびに医師や栄養士に通知が行かないようにする。
【００５９】
なお、ステップＢ３の処理は、図５のステップＡ８において、制御−検索エンジン３０１が、Ｗｅｂサーバ３０４へレシピ情報を登録する際に、併せて行うようにしてもよい。
【００６０】
アドバイス依頼の通知を受け取ったアドバイザ端末５０−２ではその旨を表示して医師や栄養士からの入力を待つ。医師や栄養士は、例えば、アドバイザ端末５０に表示される商品の情報や提供されるレシピの情報を確認した上で、Ｗｅｂサーバ３０４が提供するレシピ登録・修正ページにアクセスし、その会員の状況（健康状態や栄養取得状態）に応じたアドバイス（レシピに対するコメントやレシピの修正）を入力する。
【００６１】
図９は、レシピ登録・修正ページの画面表示例を示す説明図である。図９に示すように、Ｗｅｂサーバ３０４は、ある会員に対応づけられている医師や栄養士に向けたレシピ登録・修正用のＷｅｂページとして、例えば、会員に関する情報や提供されるレシピの情報を提示するテキスト表示コンポーネントと、コメントやレシピの修正を入力させるためのテキスト入力コンポーネントや、レシピの情報を動画形式で送信するためのファイル送信用コンポーネントを含む画面を表示させる。
【００６２】
アドバイザ端末５０−２は、例えば、図９に示すレシピ登録・修正ページ上でのユーザ操作に応じて、ユーザ（ここでは、医師や栄養士）から入力されるアドバイスの情報を、Ｗｅｂサーバ３０４に送信する（ステップＢ４）。
【００６３】
なお、図９では、医師から「コレステロール値が高いため、・・・（調味料等）は控えめにしましょう。」といった会員の健康状態に応じたレシピに対するコメントが入力される例を示している。
【００６４】
Ｗｅｂサーバ３０４は、アドバイスを受信した旨を制御−検索エンジン３０１に通知する（ステップＢ５）。アドバイスを受信した旨が通知された制御−検索エンジン３０１は、個人マスタ情報ＤＢ３０２のコメント入力履歴やレシピ修正履歴を更新する（ステップＢ６）。また、Ｗｅｂサーバ３０４は、会員用Ｗｅｂページに受け付けたアドバイスを反映させる（ステップＢ７）。Ｗｅｂサーバ３０４は、例えば、会員用Ｗｅｂページに自動更新処理を組み込んでおき、自動更新処理の際に、個人マスタ情報ＤＢ３０２に保持されている最新の情報を元に該会員用ＷｅｂページのＨＴＭＬファイルを作成することにより、アドバイスを反映させてもよい。
【００６５】
図１０は、会員に向けたレシピ提供用Ｗｅｂページの画面表示例を示す説明図である。図１０に示すように、Ｗｅｂサーバ３０４は、会員に向けたレシピ提供用Ｗｅｂページとして、例えば、会員に提供するレシピを提示するテキスト表示コンポーネントおよび動画再生用コンポーネントを含む画面を表示させる。
【００６６】
また、レシートにテレビ電話対応のオペレーションセンタの電話番号（図３におけるアドバイザ端末５０−１に着信される電話番号）を印刷することにより、会員は、仮にＵＲＬを用いてＷｅｂサイトにアクセスしてレシピを見ただけでは分からないことがあった場合に、その電話番号に電話をかけることにより、アドバイザ端末５０−１を操作するオペレータを呼び出すことができる。そこで、オペレータに質問をしたり、ユーザ端末１０にテレビ電話機能を付いている場合には、オペレータとの間で動画を用いたアドバイスを受けることができる。なお、アドバイザ端末５０−１は、ネットワーク２０−２を介してセンタシステム３０と接続されているため、オペレータは、会員から聞いた会員番号を元に、現在会員に提供されているレシピの情報や、会員の家族構成、購入した商品の情報を取得することができる。会員は、例えば、調理中の料理の状態を画像情報にしてアドバイザ端末５０−１に転送することにより、図１１に示すようなオペレータからの説明や指示を受けることができる。なお、図１１に示す例では、オペレータは、調理の進み具合を確認して「焼きすぎに注意しましょう。」といったアドバイスを行っている。
【００６７】
このように、本実施形態によれば、ユーザに、該ユーザの状況にあったレシピを提供することができる。なお、本実施形態によれば、予め登録された第３者を介在させることで、予め登録されているレシピの中でユーザの状況にあったレシピだけでなく、個別に応用されたレシピや専門的な知識に基づくレシピを提供することができる。また、レシピの提供に際し、オペレータから動画を利用したガイドを受けることが可能である。
【００６８】
次に、レシピ登録動作について説明する。図１２は、本実施形態のレシピ登録動作の一例を示すシーケンス図である。
【００６９】
ユーザ端末１０は、例えば、図９に示したレシピ登録・修正ページ上でのユーザ操作に応じて、ユーザが知っているレシピの情報をＷｅｂサーバ３０４に送信する（ステップＣ１）。このとき、例えば、レシピ登録に伴い、割引クーポン等を発行する場合には、その対象となる会員を特定するための会員番号も併せて送信される。
【００７０】
Ｗｅｂサーバ３０４は、レシピ情報を受信した旨を制御−検索エンジン３０１に通知する（ステップＣ２）。レシピ情報を受信した旨が通知された制御−検索エンジン３０１は、レシピサーバ３０３を検索して、類似したレシピがあるか否かを判定する（ステップＣ３）。そして、類似したレシピがなかった場合には、受信したレシピの情報を、レシピサーバ３０３に仮登録する（ステップＣ４）。
【００７１】
レシピサーバ３０３は、例えば、定期的にメンテナンスが行われ、蓄積されている仮登録されたレシピを表示することで、該レシピで実際に料理が完成するかを人手によって確認させる（ステップＣ５）。例えば、実際に調理を行うといった工程が入ることが好ましい。また、その際に、動画ファイルが登録されていない場合には、調理の様子を撮影して動画ファイルを生成するようにしてもよい。正当性が認められたレシピは、レシピサーバ３０３に本登録される。レシピサーバ３０３は、仮レシピが本登録となった場合には、その旨を制御−検索エンジン３０１に通知する（ステップＣ６）。
【００７２】
制御−検索エンジン３０１は、レシピサーバ３０３からの通知を受けて、そのレシピを登録した会員の会員情報において、割引クーポン券の発行数を変更する等の更新を行う（ステップＣ７）。
【００７３】
以上のように、本実施形態によれば、ユーザがレシピを登録できるようにすることにより、レシピサーバ３０３へのレシピの蓄積量を増やすことできる。また、レシピを登録したユーザに対し、クーポン券を発行するなどのサービスを行うことにより、レシピ登録を促進させることができる。また、レシピ登録の際に、仮登録をした上で、人手による確認をさせることで、不正なレシピが登録されることを防ぐことができる。
【００７４】
なお、例えば、ステップＣ１の処理を、医者や栄養士が操作するアドバイザ端末５０−２で行うことも可能である。そのような場合には、登録するレシピの提供先とする会員番号を指定させてもよい。
【産業上の利用可能性】
【００７５】
本発明は、ユーザに対し、レジ端末１０から入力される情報に限らず、現在所持しているだろう食材の情報が得られるシステムであれば、好適に適用可能である。
【図面の簡単な説明】
【００７６】
【図１】本発明によるレシピ提供システムの構成例を示すブロック図である。
【図２】本発明によるレシピ提供システムの他の構成例を示すブロック図である。
【図３】本発明によるレシピ提供システムのより具体的な構成例を示すブロック図である。
【図４】レシピ提供システムの動作の一例を示すシーケンス図（１）である。
【図５】レシピ提供システムの動作の一例を示すシーケンス図（２）である。
【図６】レシピ提供システムの動作の一例を示すシーケンス図（３）である。
【図７】個人情報入力ページの画面表示例を示す説明図である。
【図８】レジ端末１０で発行されるレシートの一例を示す説明図である。
【図９】レシピ登録・修正ページの画面表示例を示す説明図である。
【図１０】会員に向けたレシピ提供用Ｗｅｂページの画面表示例を示す説明図である。
【図１１】オペレータとの通話画面例を示す説明図である。
【図１２】レシピ提供システムの動作の一例を示すシーケンス図（４）である。
【符号の説明】
【００７７】
１  センターサーバ
１１  ユーザ情報記憶手段
１２  レシピ情報記憶手段
１３  レシピ検索手段
１４  Ｗｅｂサーバ手段
１５  アドバイス要求手段
２  レシート発行端末
３  アドバイザ端末
４  ユーザ端末
１０  レジ端末
２０−１，２０−２  ネットワーク
３０  センターシステム
３０１  制御−検索エンジン
３０２  個人マスタ情報データベース（個人マスタ情報ＤＢ）
３０３  レシピサーバ
３０４  Ｗｅｂサーバ
４０  ユーザ端末
５０−１，５０−２  アドバイザ端末
【図１】
2009211258.tif 000003
【図２】
2009211258.tif 000004
【図３】
2009211258.tif 000005
【図４】
2009211258.tif 000006
【図５】
2009211258.tif 000007
【図６】
2009211258.tif 000008
【図７】
2009211258.tif 000009
【図８】
2009211258.tif 000010
【図９】
2009211258.tif 000011
【図１０】
2009211258.tif 000012
【図１１】
2009211258.tif 000013
【図１２】
2009211258.tif 000014